(57)【要約】【課題】  掃除機の操作性を向上し、部品点数を削減し、組立性を向上させる。【解決手段】  縦長のハンドル８と、この下方に設けられ下部に電動送風機５を有すると共に上部にサイクロン筒６を着脱自在に設けた掃除機本体２と、この下部に着脱自在に設けられ吸気路２６を介して前記サイクロン筒６の一次側に連通する吸込ノズル１と、一次側３０Ａを前記サイクロン筒６の二次側６Ｅに、二次側３０Ｂを前記電動送風機５の一次側５Ａに連通した排気路３０とを備える。前記サイクロン筒６は、サイクロン筒本体６Ａと、その外周に着脱自在に嵌合する外筒６Ｂとを備える。そして、前記サイクロン筒６に蓄積した塵埃を、前記サイクロン筒本体６Ａのみを取り出して容易に廃棄することができる。【選択図】図１
2008206612.tif 000002
【特許請求の範囲】
【請求項１】
下部に電動送風機を有すると共に上部にサイクロン筒を着脱自在に設けた掃除機本体と、この掃除機本体に着脱自在に設けられ吸引路を介して前記サイクロン筒の一次側に連通する吸込ノズルと、前記サイクロン筒の二次側に一次側を連通すると共に二次側を前記電動送風機の一次側に連通した排気路とを備え、
前記サイクロン筒が、サイクロン筒本体と、このサイクロン筒本体の外周に配置され該サイクロン筒本体が着脱自在に嵌合する外筒とを備え、前記外筒に、前記吸引路の少なくとも一部と前記排気路の少なくとも一部を一体に成形したことを特徴とするサイクロン式電気掃除機。
【請求項２】
下部に電動送風機を有すると共に上部に有底なサイクロン筒を着脱自在に設けた掃除機本体と、この掃除機本体に着脱自在に設けられ吸引路を介して前記サイクロン筒の一次側に連通する吸込ノズルと、前記サイクロン筒の二次側に一次側を連通すると共に二次側を前記電動送風機の一次側に連通した排気路とを備え、
前記サイクロン筒が、有底なサイクロン筒本体と、このサイクロン筒本体の外周に同軸心状に配置され該サイクロン筒本体が着脱自在に嵌合する外筒とを備え、前記サイクロン筒本体の上部開口部に開閉可能な蓋体を設け、この蓋体に前記サイクロン筒の二次側を設けると共に、この二次側に第一のフィルター体を設け、前記蓋体の中心側より外側に配置されて前記サイクロン筒の一次側を前記外筒に設けたことを特徴とするサイクロン式電気掃除機。
【請求項３】
下部に電動送風機を有すると共にこの電動送風機上にサイクロン筒を着脱自在に設けた掃除機本体と、この掃除機本体に着脱自在に設けられ吸気路を介して前記サイクロン筒の一次側に連通する吸込ノズルと、前記サイクロン筒の二次側に一次側を連通すると共に二次側を前記電動送風機の一次側に連通した排気路とを備え、
前記サイクロン筒が、有底なサイクロン筒本体と、このサイクロン筒本体の外周に同軸心状に配置され該サイクロン筒本体が着脱自在に嵌合する外筒とを備え、前記サイクロン筒本体が、底部側が次第に幅狭くなるように形成され、前記外筒の下部に設けられる外筒部が、前記サイクロン筒本体との間に間隙を介して前記サイクロン筒本体の底部側の外周外側を囲むと共に前記電動送風機の一次側に接続可能に設け、前記電動送風機の一次側に第二のフィルター体を設けると共に、この第二のフィルター体の上部が前記間隙に挿入されることを特徴とするサイクロン式電気掃除機。
【請求項４】
前記サイクロン筒本体に摘み部が設けられると共に、前記外筒から前記摘み部が外側に突出する内外連通部を設けたことを特徴とする請求項１〜３のいずれか１項に記載のサイクロン式電気掃除機。
【請求項５】
前記第二のフィルター体の下部に、前記電動送風機の一次側の外周に接する気密用の第一のシール部を一体的に設けると共に、前記外筒に接する気密用の第二のシール部を一体的に設けたことを特徴とする請求項３記載のサイクロン式電気掃除機。
【請求項６】
前記第二のフィルター体のフィルターの中央部に凹部を形成すると共に、その上部を前記間隙に挿入することを特徴とする請求項３記載のサイクロン式電気掃除機。
【発明の詳細な説明】
【技術分野】
【０００１】
本発明は、サイクロンを利用して集塵するサイクロン式電気掃除機に関するものである。
【背景技術】
【０００２】
従来、この種のものとして、上部に電動送風機を有すると共に下部にサイクロン筒を着脱自在に設けた掃除機本体と、該掃除機本体の下方に着脱自在に設けられた吸込ノズルと、前記掃除機本体の上方に突設したハンドルを備えたスティック型のサイクロン式電気掃除機が知られている（例えば特許文献１）。
【特許文献１】特開２００３−２０４９０７号公報
【発明の開示】
【発明が解決しようとする課題】
【０００３】
このようなスティック型のサイクロン式電気掃除機においては、重量の大きい電動送風機が掃除機本体の上部に配置されているので、掃除機の重心が高くなり、この結果、ハンドルを握って吸込ノズルを床上で動かすときの操作性が劣りやすくなる。
【０００４】
このような問題を解決するものとして、同一出願人は特願２００６−７５３９６号のサイクロン式電気掃除機を提案している。このサイクロン式電気掃除機は、下部に電動送風機を有すると共に上部にサイクロン筒を着脱自在に設けた掃除機本体と、この掃除機本体に着脱自在に設けられ吸引路を介して前記サイクロン筒の一次側に連通する吸込ノズルと、前記サイクロン筒の二次側に一次側を連通すると共に二次側を前記電動送風機の一次側に連通した排気路とを備え、有底なサイクロン筒本体と、このサイクロン筒本体の外周に同軸心状に固着される外筒とを備えた前記サイクロン筒に、前記吸引路の少なくとも一部と前記排気路の少なくとも一部を一体に成形したことにより、重量のある前記電動送風機を下部に配置したことで、掃除機全体の低重心化を図ることができ、更に、前記サイクロン筒に前記吸引路の少なくとも一部と前記排気路の少なくとも一部を一体に成形したことで、別途にこれらの中継経路を形成する必要がなくなるものである。
【０００５】
しかしながら、前記サイクロン式電気掃除機においては、サイクロン筒はサイクロン筒本体の外周に外筒が固着したものであったので、掃除後にサイクロン筒に蓄積した塵埃を取り除くには比較的大きなサイクロン筒全体を取り外してから塵埃を廃棄しなければならず、改良の余地が残っていた。
【０００６】
本発明が解決しようとする問題点は、掃除機本体の重心位置を下げて掃除機の操作性を向上し、更にサイクロン筒に蓄積した塵埃を容易に取り除くことができるようにする点である。
【課題を解決するための手段】
【０００７】
請求項１の発明は、下部に電動送風機を有すると共に上部にサイクロン筒を着脱自在に設けた掃除機本体と、この掃除機本体に着脱自在に設けられ吸引路を介して前記サイクロン筒の一次側に連通する吸込ノズルと、前記サイクロン筒の二次側に一次側を連通すると共に二次側を前記電動送風機の一次側に連通した排気路とを備え、前記サイクロン筒が、サイクロン筒本体と、このサイクロン筒本体の外周に配置され該サイクロン筒本体が着脱自在に嵌合する外筒とを備え、前記外筒に、前記吸引路の少なくとも一部と前記排気路の少なくとも一部を一体に成形したことを特徴とするサイクロン式電気掃除機である。
【０００８】
請求項２の発明は、下部に電動送風機を有すると共に上部に有底なサイクロン筒を着脱自在に設けた掃除機本体と、この掃除機本体に着脱自在に設けられ吸引路を介して前記サイクロン筒の一次側に連通する吸込ノズルと、前記サイクロン筒の二次側に一次側を連通すると共に二次側を前記電動送風機の一次側に連通した排気路とを備え、前記サイクロン筒が、有底なサイクロン筒本体と、このサイクロン筒本体の外周に同軸心状に配置され該サイクロン筒本体が着脱自在に嵌合する外筒とを備え、前記サイクロン筒本体の上部開口部に開閉可能な蓋体を設け、この蓋体に前記サイクロン筒の二次側を設けると共に、この二次側に第一のフィルター体を設け、前記蓋体の中心側より外側に配置されて前記サイクロン筒の一次側を前記外筒に設けたことを特徴とするサイクロン式電気掃除機である。
【０００９】
請求項３の発明は、下部に電動送風機を有すると共にこの電動送風機上にサイクロン筒を着脱自在に設けた掃除機本体と、この掃除機本体に着脱自在に設けられ吸気路を介して前記サイクロン筒の一次側に連通する吸込ノズルと、前記サイクロン筒の二次側に一次側を連通すると共に二次側を前記電動送風機の一次側に連通した排気路とを備え、前記サイクロン筒が、有底なサイクロン筒本体と、このサイクロン筒本体の外周に同軸心状に配置され該サイクロン筒本体が着脱自在に嵌合する外筒とを備え、前記サイクロン筒本体が、底部側が次第に幅狭くなるように形成され、前記外筒の下部に設けられる外筒部が、前記サイクロン筒本体との間に間隙を介して前記サイクロン筒本体の底部側の外周外側を囲むと共に前記電動送風機の一次側に接続可能に設け、前記電動送風機の一次側に第二のフィルター体を設けると共に、この第二のフィルター体の上部が前記間隙に挿入されることを特徴とするサイクロン式電気掃除機である。
【００１０】
請求項４の発明は、前記サイクロン筒本体に摘み部が設けられると共に、前記外筒から前記摘み部が外側に突出する内外連通部を設けたことを特徴とする請求項１〜３のいずれか１項に記載のサイクロン式電気掃除機である。
【００１１】
請求項５の発明は、前記第二のフィルター体の下部に、前記電動送風機の一次側の外周に接する気密用の第一のシール部を一体的に設けると共に、前記外筒に接する気密用の第二のシール部を一体的に設けたことを特徴とする請求項３記載のサイクロン式電気掃除機である。
【００１２】
請求項６の発明は、前記第二のフィルター体のフィルターの中央部に凹部を形成すると共に、その上部を前記間隙に挿入することを特徴とする請求項３記載のサイクロン式電気掃除機である。
【発明の効果】
【００１３】
請求項１の発明によれば、重量のある前記電動送風機を下部に配置したことで、掃除機全体の低重心化を図ることができ、更に、前記サイクロン筒に前記吸引路の少なくとも一部と前記排気路の少なくとも一部を一体に成形したことで、別途にこれらの中継経路を形成する必要がなくなる。更に、前記サイクロン筒を、サイクロン筒本体と、このサイクロン筒本体と別体な外筒とに分離したことにより、前記サイクロン筒に蓄積した塵埃を前記サイクロン筒本体のみを取り出して容易に廃棄することができる。
【００１４】
請求項２の発明によれば、重量のある前記電動送風機を下部に配置したことで、掃除機全体の低重心化を図ることができ、更に、前記サイクロン筒の底部に溜まった塵埃を廃棄するとき、前記蓋体を開くと、この蓋体に設けられた前記第一のフィルター体を手で触れることなく前記サイクロン筒の外部に露出させることができるので、前記サイクロン筒の上部開口部から塵埃を廃棄することができると共に、前記第一のフィルター体の手入れを行うことができる。更に、前記サイクロン筒を、サイクロン筒本体と、このサイクロン筒本体と別体な外筒とに分離したことにより、前記サイクロン筒に蓄積した塵埃を前記サイクロン筒本体のみを取り出して容易に廃棄することができる。
【００１５】
請求項３の発明によれば、重量のある前記電動送風機を下部に配置したことで、掃除機全体の低重心化を図ることができ、更に、前記第二のフィルター体の上部が前記外筒とサイクロン筒の間の間隙に挿入されることにより、この間隙に挿入される第二のフィルター体の高さを大きくしてそのフィルターの表面積を可及的に拡大することができる。更に、前記サイクロン筒を、サイクロン筒本体と、このサイクロン筒本体と別体な外筒とに分離したことにより、前記サイクロン筒に蓄積した塵埃を前記サイクロン筒本体のみを取り出して容易に廃棄することができる。
【００１６】
請求項４の発明によれば、前記サイクロン筒を開蓋した際に外側に突出している摘み部を摘んでサイクロン筒本体を取り出すことができる。
【００１７】
請求項５の発明によれば、前記第二のフィルター体の下部に一体的に設けられた第一のシール部、第二のシール部により、部品点数の低減を図りつつ前記電動送風機の一次側の気密性を向上させることができる。
【００１８】
請求項６の発明によれば、前記第二のフィルター体のフィルターが前記外筒の内面に沿って設けられると共に、前記フィルターの凹部が前記サイクロン筒の外面に沿って設けられることで、前記第二のフィルター体のフィルターの表面積をより大きくすることができる。
【発明を実施するための最良の形態】
【００１９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２０】
本実施例について、添付図に基づいて説明する。なお、本実施例においては、図１の姿勢を基準として、長手方向を上下と規定する。吸込ノズル１が下方に着脱自在に取り付けられた掃除機本体２の下部内側に、電動機３とこの電動機３の回転軸に取り付けられたファン４からなる電動送風機５が設けられ、前記掃除機本体２の上部にはサイクロン筒６が着脱自在に設けられており、このサイクロン筒６の下部に前記電動送風機５の一次側５Ａが対向していると共に、前記電動送風機５の二次側５Ｂが前記掃除機本体２に設けられた排気部７に接続されて外気と連通している。また、前記掃除機本体２の上方には、棒状のハンドル８が上方に向けて突設している。
【００２１】
前記吸込ノズル１は、その下面前部に横長の吸込口９が設けられており、その上面後部に接続パイプ１０が揺動自在に立設していると共に、その後部に車輪１１が回動自在に設けられている。
【００２２】
前記サイクロン筒６は、有底なサイクロン筒本体６Ａと、このサイクロン筒本体６Ａの外周に配置されると共に該サイクロン筒本体６Ａと別体な筒状の外筒６Ｂを備え、これらサイクロン筒本体６Ａと外筒６Ｂとのそれぞれの軸心Ｘは同軸心状に配置されている。そして前記外筒６Ｂの内側に前記サイクロン筒本体６Ａが着脱自在に嵌合するように構成されている。前記サイクロン筒本体６Ａは、前記吸込ノズル１より吸引した塵埃を含む空気を内部で旋回気流として、この旋回気流による遠心力によって、清浄な空気と塵埃とを分離するものである。そして、前記サイクロン筒６の外筒６Ｂの下部側が、前記掃除機本体２の収容部２Ａに形成された載置用受け面１２上に着座するようになっている。なお、前記収容部２Ａは、前記掃除機本体２に上方及び後方が開口して形成されており、この収容部２Ａの底部に前記載置用受け面１２が設けられている。そして、前記載置用受け面１２のほぼ中央には、前記電動送風機５の一次側５Ａが平面円環状に上方へやや突設して開口している。
【００２３】
前記サイクロン筒本体６Ａは、上部開口部１３を有すると共に下部に底部１４を一体に有する透明又は半透明の樹脂によってほぼ円筒形に形成され、前記上部開口部１３に、この上部開口部１３を塞ぐ蓋体１５が備えられる。なお、前記サイクロン筒本体６Ａは、その上部開口部１３が後述する一次側６Ｃ（切欠部６Ｄ）を塞ぐことがないように、前記上部開口部１３の切欠部１３Ａが前記切欠部６Ｄの下縁か該下縁よりもやや下方に嵌合するようになっている。更に、前記サイクロン筒本体６Ａは、前記上部開口部１３より下方に向けてほぼ同一径の直筒部１６が中間まで形成されると共に、この直筒部１６から前記底部１４に向かって次第に幅狭に、すなわち径小になる円錐筒部１７が連設されると共に、その下端にほぼ平らな前記底部１４が円板状に連設されている。
【００２４】
前記外筒６Ｂは、前記上部開口部１３と同じ高さ位置に上部開口部１３Ｂが設けられると共に、前記直筒部１６にほぼ同じ高さ位置で外嵌合する外直筒部１６Ａの下端より、この外直筒部１６Ａとほぼ同軸状の外筒部１８が前記円錐筒部１７と全周において第一の間隙１９を有するように一体に設けられている。また、前記外筒部１８における平面が円環状の下端１８Ａは、前記底部１４よりも下方に配置されており、前記下端１８Ａが前記電動送風機５の一次側５Ａを囲むようにして前記載置用受け面１２に載置されている。
【００２５】
前記蓋体１５は、前記上部開口部１３の後部に設けたヒンジ２０により開閉自在に設けられたものであり、上面板１５Ａに下面板１５Ｂを着脱自在に固定したものである。そして、前記蓋体１５の外周下縁１５Ｄが前記上部開口部１３Ｂの上縁に密着できるように構成されている。また、前記蓋体１５には、この蓋体１５、ひいては前記サイクロン筒６の上部を前記掃除機本体２に着脱自在に固定するためのストッパー２１が設けられている。このストッパー２１は、前記蓋体１５に軸２２Ａを介して回動自在に中央部が支持されている梃子体２２の先端の係止部２３が、前記掃除機本体２の上面に設けられた係止受部２４に係止可能に設けられると共に、前記梃子体２２の基端と前記蓋体１５との間にバネ２５が介在して、前記係止部２３が前記係止受部２４に常時係止するように付勢されている。
【００２６】
そして、前記吸込ノズル１の吸込口９に一次側２６Ａが接続された吸気路２６の二次側２６Ｂが、前記サイクロン筒６の一次側６Ｃに接続されている。前記吸気路２６は、前記吸込ノズル１と、前記掃除機本体２の後部に一体的に設けられて前記接続パイプ１０の上端が接続可能な接続受パイプ２７と、前記サイクロン筒６の外筒６Ｂの後部に一体に成形されたパイプ状の吸気用中継経路２８とによって形成されている。なお、前記吸気路２６は、前記吸込ノズル１において、その先端側下面に開口した吸込口９から、この吸込口９に連通し後部に立設した接続パイプ１０に至る。また、前記接続パイプ１０は、前記接続受パイプ２７の下端に着脱自在に接続される。なお、前記吸気用中継経路２８は前記外筒６Ｂの外周の後側に上下方向に一体に成形されたパイプ形状であり、その下端は前記接続受パイプ２７の上端に接続されるようになっている。一方、前記直筒部１６Ａの後部上縁の一部に前記切欠部６Ｄを形成して、前記サイクロン筒６の一次側６Ｃの一部が形成されており、そして、前記吸気用中継経路２８の上端には、前記一次側６Ｃに連通する前記吸気路２６の二次側２６Ｂである連通溝が形成されている。前記外筒６Ｂの一次側６Ｃはほぼ平坦であり、更に前記直筒部１６の内周のほぼ接線方向に向けていることにより、前記サイクロン筒本体６Ａに流入する空気が前記サイクロン筒本体６Ａの内部で渦を作るように構成されている。更に、前記蓋体１５の下面には、前記吸気路２６の二次側２６Ｂである連通溝と閉蓋時に対向するように、上方に凹んだ凹部１５Ｃが形成されている。そして、この凹部１５Ｃは、前記外筒６Ｂの切欠部６Ｄと共に前記一次側６Ｃを構成する。なお、本実施例では前記サイクロン筒６の外筒６Ｂの一次側６Ｃを前記直筒部１６Ａと蓋体１５とで形成したものを示したが、前記蓋体１５のみに前記サイクロン筒６の一次側を形成して、前記凹部１５Ｃから前記サイクロン筒６に塵埃を含む気流を導入するようにしてもよい。
【００２７】
前記蓋体１５の下面中央には、前記サイクロン筒本体６Ａの二次側６Ｅである流出口が設けられている。そして、この二次側６Ｅの下方には、第一のフィルター体２９が前記下面板１５Ｂと一体的に設けられている。なお、前記第一のフィルター体２９は、前記下面板１５Ｂと一体に形成された裁頭円錐形をなした枠体２９Ａにシート状のフィルター２９Ｂを支持させることで構成されている。
【００２８】
前記サイクロン筒６（サイクロン筒本体６Ａ）の二次側６Ｅに一次側３０Ａが連通すると共に二次側３０Ｂが前記電動送風機５の一次側５Ａに連通する排気路３０は、前記蓋体１５に一体に設けられた一次側３０Ａと、前記サイクロン筒６のサイクロン筒本体６Ａに一体に成形された排気用中継経路３１と、前記第一の間隙１９によって形成されている。なお、前記排気用中継経路３１は、前記外筒６Ｂの後方に膨出して形成されている。流出部となる前記一次側３０Ａは、前記上板１５Ａと下板１５Ｂの間に設けられた第二の間隙３２によって形成されており、その始端が前記サイクロン筒６の二次側６Ｅに接続されると共に、その終端に形成された開口部３３が前記ヒンジ２０側において下方に開口しており、前記開口部３３が、前記蓋体１５の閉蓋時に前記排気用中継経路３１の上端に対向してその周囲を塞ぐようにして連通するようになっている。なお、前記開口部３３は、前記下板１５Ａと一体に形成された仕切り壁板３３Ａによって、前記凹部１５Ｃ側と仕切られている。そして、前記排気用中継経路３１は、前記直筒部１６の上縁からこの直筒部１６の下縁のやや下方まで、すなわち前記第一の間隙１９に対応する部位まで延設している。また、前記排気用中継経路３１と吸気用中継経路２８は、仕切り中間壁板２８Ａを介して隣接している。更に、前記排気用中継経路３１の下端は、前記円錐筒部１７の上端と外筒部１８とで囲まれるように形成された開口部３４を介して前記第一の間隙１９に連通しており、この第一の間隙１９が前記電動送風機５の一次側５Ａである開口部に連通している。
【００２９】
そして、このように、前記サイクロン筒６は、有底なサイクロン筒本体６Ａと、このサイクロン筒本体６Ａの外周に同軸心状に配置され該サイクロン筒本体６Ａが着脱自在に嵌合する外筒６Ｂとを備え、これらの開口部１３、１３Ｂを、開閉可能な蓋体１５により閉蓋することで、蓋開時にサイクロン筒本体６Ａを単独で前記開口部１３Ｂより上方に抜き出すことができ、この結果、サイクロン筒６、ひいては前記サイクロン筒本体６Ａに蓄積した塵埃を、このサイクロン筒本体６Ａのみを扱って容易に廃棄することができるばかりでなく、前記サイクロン筒６を合成樹脂で成形する場合には、前記サイクロン筒６の金型は、前記サイクロン筒本体６Ａのための有底形状で比較的シンプルな形状の金型と、前記外筒６Ｂのための比較的シンプルな形状の筒形状の別の金型とを製作すれば済むので、金型の全体構造をシンプルなものとすることができる。また、前記サイクロン筒の外筒６Ｂは、前記外筒部１８、吸気用中継経路２８及び排気用中継経路３１を一体に形成したことで、前記サイクロン筒６の形状としてはやや複雑になるものの、前記外筒部１８、吸気用中継経路２８及び排気用中継経路３１を別途形成する必要がないので、掃除機全体としては部品点数が減少し、構造を単純化することができる。また、前記外筒６Ｂに、前記外筒部１８、吸気用中継経路２８及び排気用中継経路３１を一体に形成したことで、気流漏れの発生する虞のある接合個所を減少させることができる。
【００３０】
また、前記排気路３０の二次側３０Ｂには、細かな塵芥を捕捉するための第二のフィルター体３５が着脱自在に取り付けられており、この第二のフィルター体３５を介して、前記排気路３０の二次側３０Ｂと前記電動送風機５の一次側５Ａが連通している。この第二のフィルター体３５は、支持枠体３５Ａと、この支持枠体３５Ａの下端に形成された係止部３５Ｂと、袋状のフィルター３５Ｃとで構成されている。前記支持枠体３５Ａは軟質の合成樹脂等によって形成されており、軸方向に延びた複数の縦梁部と周方向に延びた複数の円梁部とを有して全体として円筒状に形成されていると共に、これら縦梁部と円梁部とで囲まれた開口を気流が通過可能に構成されている。また、前記係止部３５Ｂは、軟質の合成樹脂等によって前記支持枠体３５Ａと一体に形成されており、前記係止部３５Ｂの外周が、前記外筒部１８の内周面に形成された係止受部１８Ｂに係止されると共に、前記係止部３５Ｂの中央に開口３６が形成されており、この開口３６が前記電動送風機５の一次側５Ａと対向している。そして、前記開口３６の下方には、前記電動送風機５の一次側５Ａである開口部の外周に形成された前記載置受け面１２に対して気密に接触する第一のシール部３７が一体に設けられていると共に、前記係止部３５Ｂの外周側には、前記係止受部１８Ｂに対して気密に接触する第二のシール部３８が一体に設けられている。なお、これら第一のシール部３７及び第二のシール部３８は、それぞれ先細形状に形成されている。そして、このように前記第二のフィルター体３５の係止部３５Ｂに前記第一のシール部３７及び第二のシール部３８を一体に形成することで、前記第二のフィルター体３５と載置用受け面１２とのシールを行うと同時に、前記第二のフィルター体３５と外筒部１８のシールを行うことができ、これによって、部品点数の低減を図りつつ、前記排気路３０の二次側３０Ｂ及び前記電動送風機５の一次側５Ａの気密性を向上させることができる。そして、袋状の前記フィルター３５Ｃは、前記支持枠体３５Ａの外側を覆うように前記支持枠体３５Ａに被せられており、その開口端側が前記支持枠体３５Ａの下端側に固定されていると共に、その中間部が折り返されて閉塞端側が前記支持枠体３５Ａの内側を覆うように凹部３５Ｄが形成されている。そして、このように構成された前記第二のフィルター体３５は、前記第一の間隙１９に挿入されて、前記外筒部１８の下端に保持される。この際、前記フィルター３５Ｃの凹部３５Ｄは、前記サイクロン筒６の円錐筒部１７の下部及び底部１４の外側を囲むように形成されている。
【００３１】
更に、前記サイクロン筒本体６Ａの上部開口部１３の一部に摘み部４０を設ける。この摘み部４０は、指先で摘める程度の大きさに形成されて横向に外側に張り出した板状である。一方、前記外筒６Ｂの上部開口部１３Ｂには、前記摘み部４０を前記外筒６Ｂの外側に突出させるための内外連通部４１が切り欠き状に形成されている。この内外連通部４１の横幅Ｙは、前記摘み部４０の横巾と同一寸法であり、また、その深さＺは、前記摘み部４０の厚みと同一寸法である。そして、前記内外連通部４１に前記摘み部４０を嵌合することで、閉蓋のときに切り欠き状の内外連通部４１と摘み部４０と蓋体１５の外周下縁１５Ｄが密着して気密を保つことができるようになっている。
【００３２】
次に、本実施例の作用について説明する。本実施例の掃除機を使用するには、まず、前記外筒６Ｂに前記サイクロン筒本体６Ａを嵌入する。この際、前記摘み部４０を前記内外連通部４１に嵌合した状態で前記上部開口部１３Ｂが前記切り欠き６Ｄの下縁に配置されるように、前記外筒６Ｂに前記サイクロン筒本体６Ａを嵌合する。そして、前記外筒部１８の下端から前記第二のフィルター体３５を挿入し、この第二のフィルター体３５を前記係止受部１８Ｂに保持させる。そして、前記下面板１５Ｂと一体的に設けられた前記第一のフィルター体２９を、前記下面板１５Ｂごと前記蓋体１５の上面板１５Ａに取り付け、更に前記蓋体１５を閉じて前記外筒６Ｂの上部開口部１３Ｂを前記蓋体１５で塞ぐ。このように、前記第一及び第二のフィルター体２９，３５が取り付けられた前記サイクロン筒６を、前記掃除機本体２の収容部２Ａにやや後に傾いた状態で設置し、そのまま前記サイクロン筒６を直立させて前記蓋体１５に設けられた前記ストッパー２１の係止部２３を前記掃除機本体２の係止受部２４に係止させることで、前記サイクロン筒６が前記掃除機本体２に固定される。この際、前記サイクロン筒６の吸気用中継経路２８の下端は、前記掃除機本体２の接続受パイプ２７と連通して接続される。更に、前記第一のシール部３７は、前記電動送風機５の一次側５Ａである開口部の外周に形成された前記載置受け面１２に対して気密となるように接触し、また、前記第二のシール部３８は、前記外筒部１８の下端側内周面に気密となるように接触する。
【００３３】
そして、本実施例の電気掃除機は、不使用時には、前記吸込ノズル１に対して前記掃除機本体２を直立させることで、自立状態とすることができる。そして、床や絨毯等の掃除を行う場合、使用者は前記ハンドル８を握って前記掃除機本体２を後方に倒すと共に、スイッチ（図示せず）を閉成する。これによって、前記電動送風機５が作動することで、塵埃を含んだ気流が前記吸込口９から吸引され、この塵埃を含んだ気流が前記吸気路２６、即ち、前記接続受パイプ２７、吸気用中継経路２８、更には前記吸気路２６の二次側２６Ｂより前記サイクロン筒６に導入される。前記サイクロン筒６に導入された塵埃を含む気流が、このサイクロン筒６の一次側６Ｃより前記サイクロン筒６のサイクロン筒本体６Ａの内周面に沿って前記サイクロン筒本体６Ａ内に流入し、この流入した塵埃を含む気流が前記サイクロン筒本体６Ａの内周面に沿って旋回しながら下降することで、前記気流に含まれる比較的大きな塵埃は、遠心力によって前記気流から分離されて、前記サイクロン筒本体６Ａの底部１４に堆積する。一方、比較的大きな塵埃が分離された気流は、前記サイクロン筒本体６Ａの軸心Ｘに沿うように上昇し、前記第一のフィルター体２９を通過して前記サイクロン筒本体６Ａの二次側６Ｅから排出される。この際、前記第一のフィルター体２９のフィルター２９Ｂによって、比較的大きな塵埃が分離された気流に含まれる比較的細かい塵埃が濾過されることになる。そして、この前記サイクロン筒本体６Ａから排出された気流は、前記排気路３０、すなわち前記一次側３０Ａ、排気用中継経路３１、第一の間隙１９、第二のフィルター体３５を介して前記電動送風機５の一次側５Ａに至る。この際、前記第一のフィルター体２９により濾過されなかった細かい塵埃が、前記第二のフィルター体３５のフィルター３５Ｃによって捕捉され、このようにして細かい塵埃が除かれた空気が前記排気部７より前記掃除機本体２外に排出されるようになっている。なお、前述したように、前記第二のフィルター体３５のフィルター３５Ｃを袋状に形成して前記支持枠体３５Ａの外側を覆うように被せ、その開口端側を前記支持枠体３５Ａの下端側に固定すると共に、その中間部を折り返して閉塞端側が前記支持枠体３５Ａの内側を覆うように凹部３５Ｄを形成し、このように前記支持枠体３５Ａに支持されたフィルター３５Ｃを前記サイクロン筒６と外筒部１８の間の第一の間隙１９に挿入することで、前記フィルター３５Ｃにおける前記支持枠体３５Ａの外側を覆う部分の面積を大きくすることができるばかりでなく、前記凹部３５Ｄにおいても塵埃の捕捉が可能になるので、前記第二のフィルター体３５のフィルター３５Ｃの面積をより大きくすることができる。
【００３４】
掃除終了後に前記サイクロン筒６に蓄積した塵埃を取り除くには、まず前記ストッパー２１の基端を前記バネ２５の付勢力に抗して押圧して、前記係止部２３と係止受部２４の係止状態を解除し、前記外筒６Ｂの上部開口部１３Ｂを開口する。そして、前記摘み４０の外側を摘んで、前記サイクロン筒本体６Ａを前記外筒６Ｂより上方に抜き出す。なお、前記収容部２Ａに残っている外筒６Ｂにより、この外筒６Ｂと一体な前記吸気用中継経路２８及び排気用中継経路３１は、前記収容部２Ａから外れないことになる。そして、前記摘み４０を摘んだまま、前記サイクロン筒本体６Ａを逆さにすることで、このサイクロン筒本体６Ａの底部１４に溜まった塵埃を廃棄することができる。この際、使用者は塵埃を捕捉した前記第一のフィルター体２９に触れることなく、前記蓋体１５を開くことができるので、前記サイクロン筒本体６Ａから塵埃を捨てる際に極力手を汚さないようにすることができると共に、塵埃を廃棄するのに小型軽量の前記サイクロン筒本体６Ａのみを持てばよいので、塵埃の廃棄を楽に行うことができる。なお、前記第一のフィルター体２９のフィルター２９Ｂが塵埃で塞がれてしまった場合、前記外筒６Ｂも取り外して前記下面板１５Ｂごと前記第一のフィルター体２９を前記蓋体１５の上面板１５Ａから取り外し、ブラシ等で前記フィルター２９Ｂから塵埃を掻き落とす。この際、前記フィルター２９Ｂを水や洗剤等で洗うことで、前記フィルター２９Ｂはより清浄になる。そして、清掃が済んで清浄になった前記第一のフィルター体２９は、前記下面板１５Ｂごと前記蓋体１５の上面板１５Ａに再び取り付けられる。更に、前記第二のフィルター体３５のフィルター３５Ｃが細かい塵埃で汚れたときには、前記第二のフィルター体３５を前記サイクロン筒６から取り外して掃除を行う。この際、前記フィルター３５Ｃの凹部３５Ｄを前記支持枠体３５Ａの内側から引き出すことで、前記フィルター３５Ｃの清掃が行いやすくなる。そして、清掃が済んで清浄になった前記フィルター３５Ｃを、その中間部で再び折り返して閉塞端側が前記支持枠体３５Ａの内側を覆うように凹部３５Ｄを形成することで、前記第二のフィルター体３５は再び使用可能になる。
【００３５】
そして、再び前記外筒６Ｂに前記サイクロン筒本体６Ａを挿入してセットする。そして、前記蓋体１５で前記サイクロン筒６を閉じた後に、前記係止部２３を前記係止受部２４に係止させる。
【００３６】
以上のように、前記実施例では、縦長のハンドル８と、このハンドル８の下方に設けられ下部に電動送風機５を有すると共に上部にサイクロン筒６を着脱自在に設けた掃除機本体２と、この掃除機本体２の下部に一体的に設けられ吸気路２６を介して前記サイクロン筒６の一次側６Ｃに連通する吸込ノズル１と、前記サイクロン筒６の二次側６Ｅに一次側３０Ａを連通すると共に二次側３０Ｂを前記電動送風機５の一次側５Ａに連通した排気路３０とを備え、前記サイクロン筒６が、サイクロン筒本体６Ａと、このサイクロン筒本体６Ａの外周に配置され該サイクロン筒本体６Ａが着脱自在に嵌合する外筒６Ｂとを備え、前記外筒６Ｂに、前記吸気路２６の一部を形成する吸気用中継経路２８と、前記排気路３０の一部を形成する排気用中継経路３１を一体に成形したことにより、重量のある前記電動送風機５を下部に配置して掃除機全体の低重心化を図ることができるばかりでなく、前記サイクロン筒６に中継経路２８，３１を一体に成形したことで、これらの中継経路２８，３１を前記サイクロン筒６と別途に形成する必要がなく、組立てに伴う部品点数の低減や組立て性の向上、及び気流漏れの低減を図ることができる。また、前記サイクロン筒６内に蓄積した塵埃を、前記サイクロン筒本体６Ａのみを取り出して容易に廃棄することができる。
【００３７】
また、前記サイクロン筒６は、有底なサイクロン筒本体６Ａと、このサイクロン筒本体６Ａの外周に同軸心Ｘ状に配置され該サイクロン筒本体６Ａが着脱自在に嵌合する外筒６Ｂとを備え、前記外筒６Ｂの開口部１３Ｂに開閉可能な蓋体１５を設け、この蓋体１５に前記サイクロン筒６の二次側６Ｅを設けると共に、この二次側６Ｅに第一のフィルター２９を設け、前記蓋体１５の中心より外側に形成された凹部１５Ｃと、前記直筒部１６の後部上縁の切り欠き部６Ｂとで前記サイクロン筒６の外筒６の一次側６Ｃを形成したことにより、前記サイクロン筒６の底部１４に溜まった塵埃を廃棄するとき、前記蓋体１５を開くことで、サイクロン筒本体６Ａのみが取り出され、そして塵埃を廃棄できるので、塵埃を衛生的に且つ容易に廃棄することができる。
【００３８】
更に、前記サイクロン筒本体６Ａは、前記底部１４側が次第に幅狭くなるように形成され、この底部１４側の外周外側に、第一の間隙１９を介して囲むと共に前記電動送風機５の一次側５Ａに接続可能な外筒部１８が一体に形成された前記外筒６Ｂを設け、前記電動送風機５の一次側５Ａにこの一次側５Ａに臨む第二のフィルター体３５を設けると共に、この第二のフィルター体３５の上部が前記第一の間隙１９に挿入されることにより、この間隙１９に挿入される前記第二のフィルター体３５の高さを高くでき、このため、塵埃を捕捉するためのフィルター３５Ｃの表面積を可及的に拡大することができる。
【００３９】
しかも、前記サイクロン筒本体６Ａに摘み部４０が設けられると共に、前記外筒６Ｂに前記摘み４０が外側に突出する内外連通部４１を設けたことにより、前記外筒６Ｂに前記サイクロン筒本体６Ａを嵌合した状態であっても、前記摘み部４０の先端が前記サイクロン筒６の外側に突出して、前記摘み部４０の先端が溜まった塵芥にふれることがなく、前記摘み部４０の常時清潔な箇所を摘んで前記サイクロン筒本体６Ａを取り扱うことができる。
【００４０】
前記第二のフィルター体３５の下部の係止部３５Ｂに、前記電動送風機５の一次側５Ａの外周に接する気密用の第一のシール部３７を一体的に設けると共に、前記外筒１５に接する気密用の第二のシール部３８を一体的に設けたことにより、前記第一のシール部３７及び第二のシール部３８により前記電動送風機５の一次側５Ａとサイクロン筒６と第二のフィルター体３５との気密性を向上することができると共に、前記第一及び第二のシール部３７，３８を前記係止部３５Ｂと一体に設けたことにより、部品点数の低減などを図ることができる。
【００４１】
また、前記第二のフィルター体３５のフィルター３５Ｃの中央部に凹部３５Ｄを形成すると共に、前記第二のフィルター体３５の上部を前記第一の間隙１９に挿入することにより、前記フィルター３５Ｃが前記外筒部１８の内面に沿って設けられると共に、前記フィルター３５Ｃの凹部３５Ｄが前記サイクロン筒６の円錐筒部１７の下部及び底部１４の外側を囲むように設けられることで、前記第二のフィルター体３５のフィルター３５Ｃの表面積をより大きくして目詰まりを起こしにくくすることができる。
【００４２】
なお、本発明は以上の実施例に限定されるものではなく、発明の要旨の範囲内で種々の変形実施が可能である。例えば、上記実施例では、蓋体の外周下縁が外筒の開口部に当接し、サイクロン筒本体がその内側にある構造について述べているが、前記サイクロン筒本体の上端にリブを形成し、このリブが前記外筒の開口部と前記蓋体の外周下縁で挟持されるように構成してもよい。
【産業上の利用可能性】
【００４３】
以上のように、本発明に係るサイクロン式電気掃除機は、各種の用途に適用できる。
【図面の簡単な説明】
【００４４】
【図１】本発明の実施例１を示すサイクロン式電気掃除機の縦断面図である。
【図２】本発明の実施例１を示すサイクロン筒の平断面図である。
【図３】本発明の実施例１を示すサイクロン式電気掃除機の斜視図である。
【図４】本発明の実施例１を示すサイクロン式電気掃除機の分解斜視図である。
【図５】本発明の実施例１を示すサイクロン筒の分解斜視図である。
【図６】本発明の実施例１を示す蓋体周りの斜視図である。
【図７】本発明の実施例１を示す第二のフィルター体周りの分解斜視図である。
【符号の説明】
【００４５】
１  吸込ノズル
２  掃除機本体
５  電動送風機
５Ａ  一次側
６  サイクロン筒
６Ａ  サイクロン筒本体
６Ｂ  外筒
６Ｃ  一次側
６Ｅ  二次側
１４  底部
１５  蓋体
１８  外筒部
１９  第一の間隙
２６  吸気路
２８  吸気用中継経路
２９  第一のフィルター体
３０  排気路
３０Ａ  一次側
３０Ｂ  二次側
３１  排気用中継経路
３５  第二のフィルター体
３７  第一のシール部
３８  第二のシール部
４０  摘み
４１  連通部
【図１】
2008206612.tif 000003
【図２】
2008206612.tif 000004
【図３】
2008206612.tif 000005
【図４】
2008206612.tif 000006
【図５】
2008206612.tif 000007
【図６】
2008206612.tif 000008
【図７】
2008206612.tif 000009